(57)【要約】【課題】セキュリティシステムが検知した事象の重要差に応じて、処理の仕方を変えて、監視員の労力を軽減し、かつ、セキュリティを高めるようにする。【解決手段】セキュリティに関して緊急時に連絡するための構内交換機システムであって、構内交換機と、構内交換機に接続され、センサ、カメラ、マイクのいずれか一つ又はその組合せからなるセキュリティ情報収集装置と、構内交換機に接続されるセキュリティ解析情報装置とを備え、セキュリティ解析情報装置は、セキュリティ情報収集装置により収集された情報を解析し、構内交換機に解析結果を送信して、構内交換機は、送信されてきた解析結果の緊急度の度合いに応じて、緊急電話番号テーブルから発呼先を取得して、その電話番号に緊急時を連絡する発呼を行う。【選択図】  図５
2019068195.tif 000002
【特許請求の範囲】
【請求項１】
セキュリティに関して緊急時に連絡するための構内交換機システムであって、
構内交換機と、
前記構内交換機に接続され、センサ、カメラ、マイクのいずれか一つ又はその組合せからなるセキュリティ情報収集装置と、
前記構内交換機に接続されるセキュリティ解析情報装置とを備え、
前記セキュリティ解析情報装置は、前記セキュリティ情報収集装置により収集された情報を解析し、前記構内交換機に解析結果を送信して、
前記構内交換機は、送信されてきた解析結果に基づいて、緊急時を連絡する発呼を行うことを特徴とする構内交換機システム。
【請求項２】
前記セキュリティ解析情報装置は、前記セキュリティ情報収集装置により収集された情報により、緊急度の度合いを判定して、前記解析結果に含めて、前記構内交換機に送信し、
前記構内交換機は、緊急度の度合いに応じて、発呼先の電話番号を格納した緊急電話番号テーブルを有し、前記構内交換機は、送信されてきた緊急度の度合いに応じて、前記緊急電話番号テーブルを参照し、発呼先を選択することを特徴とする請求項１記載の構内交換機システム。
【請求項３】
前記セキュリティ解析情報装置は、解析結果として、発生した事象に対する付加情報も送信し、
前記構内交換機は、前記付加情報を発呼先に音声として送信することを特徴とする請求項１記載の構内交換機システム。
【請求項４】
前記セキュリティ情報収集装置には、カメラを含み、
前記セキュリティ解析情報装置は、前記セキュリティ情報収集装置により収集された情報を解析に画像認識を行なって、セキュリティの緊急度の度合いを判定することを特徴とする請求項２記載の構内交換機システム。
【請求項５】
セキュリティに関して緊急時に連絡するための構内交換機システムの発呼制御方法であって、
構内交換機システムは、
構内交換機と、
前記構内交換機に接続され、センサ、カメラ、マイクのいずれか一つ又はその組合せからなるセキュリティ情報収集装置と、
前記構内交換機に接続されるセキュリティ解析情報装置とを備え、
前記セキュリティ解析情報装置が、前記セキュリティ情報収集装置により収集された情報を解析し、前記構内交換機に解析結果を送信するステップと、
前記構内交換機は、送信されてきた解析結果に基づいて、緊急時を連絡する発呼を行うステップとからなることを特徴とする構内交換機システムの発呼制御方法。
【請求項６】
前記セキュリティ解析情報装置が、前記セキュリティ情報収集装置により収集された情報により、緊急度の度合いを判定するステップを有し
前記構内交換機に解析結果を送信するステップにおいて、前記解析結果に含めて、前記構内交換機に送信し、
前記構内交換機は、緊急度の度合いに応じて、発呼先の電話番号を格納した緊急電話番号テーブルを有し、
前記構内交換機が、緊急時を連絡する発呼を行うステップにおいて、送信されてきた緊急度の度合いに応じて、前記緊急電話番号テーブルを参照し、発呼先を選択することを特徴とする請求項５記載の構内交換機システムの発呼制御方法。
【請求項７】
前記セキュリティ解析情報装置は、前記構内交換機に解析結果を送信するステップにおいて、解析結果として、発生した事象に対する付加情報も送信し、
前記構内交換機は、緊急時を連絡する発呼を行うステップにおいて、前記付加情報を発呼先に音声として送信することを特徴とする請求項５記載の構内交換機システムの発呼制御方法。
【請求項８】
前記セキュリティ情報収集装置には、カメラを含み、
前記セキュリティ解析情報装置は、前記セキュリティ情報収集装置により収集された情報を解析に画像認識を行なって、セキュリティの緊急度の度合いを判定することを特徴とする請求項６記載の構内交換機システムの発呼制御方法。
【発明の詳細な説明】
【技術分野】
【０００１】
本発明は、構内交換機システム及び構内交換機システムの発呼制御方法に係り、特に、セキュリティシステムと連動して、施設の安全性を高めるのに好適な構内交換機システム及び構内交換機システムの発呼制御方法に関する。
【背景技術】
【０００２】
施設内に、防犯カメラやセンサを置き、外部からの進入者、不審者を検知して、通報するセキュリティシステムが普及してきている。
【０００３】
セキュリティシステムは、自前のモニタルームに監視員を置き、常時モニタを監視するシステムや、セキュリティ会社と契約して、侵入者を検知したり、不審な事象が有った場合に、セキュリティ会社に通報するシステムなどがある。このようなセキュリティシステムにあっては、誤通報を防ぎ、監視員の労力を軽減しながらも、効率よく、侵入者や不審な事象を検知することが課題になる。
【０００４】
特許文献１には、監視カメラやセンサの情報を、親機や子機に転送する監視システムが開示されている。
【先行技術文献】
【特許文献】
【０００５】
【特許文献１】特開２０１６−９９７８９号公報
【発明の概要】
【発明が解決しようとする課題】
【０００６】
セキュリティシステムにおいて、センサの感度を良くすると、セキュリティは高まるが、誤通報が多くなるという課題がある。上記特許文献１においては、ささいな事象でも、監視カメラで撮像した画像を、監視員が確認するという労力が必要であった。
【０００７】
また、セキュリティシステムは、その事柄の性質上、迅速に対応しなければならないという課題がある一方で、いきなり、警察や消防に通報するのではなく、まず、施設の保守員が事態の性質を確認して対応をとりたいということもしばしば起こりうる。従来のセキュリティシステムでは、そのようなときには、監視員が通報を受けて、モニタを確認してから、対応をとっていた。そのために時間もかかり、監視員の労力は大きなものになりがちであった。
【０００８】
本発明の目的は、セキュリティシステムが検知した事象の重要差に応じて、処理の仕方を変えて、監視員の労力を軽減し、かつ、セキュリティを高めることのできる構内交換機システム及び構内交換機システムの発呼制御方法を提供することにある。
【課題を解決するための手段】
【０００９】
本発明の構内交換機システムは、好ましくは、セキュリティに関して緊急時に連絡するための構内交換機システムであって、構内交換機と、構内交換機に接続され、センサ、カメラ、マイクのいずれか一つ又はその組合せからなるセキュリティ情報収集装置と、構内交換機に接続されるセキュリティ解析情報装置とを備え、セキュリティ解析情報装置は、セキュリティ情報収集装置により収集された情報を解析し、構内交換機に解析結果を送信して、構内交換機は、送信されてきた解析結果に基づいて、緊急時を連絡する発呼を行うようにしたものである。
【発明の効果】
【００１０】
本発明によれば、セキュリティシステムが検知した事象の重要差に応じて、処理の仕方を変えて、監視員の労力を軽減し、かつ、セキュリティを高めることのできる構内交換機システム及び構内交換機システムの発呼制御方法を提供することができる。
【図面の簡単な説明】
【００１１】
【図１】本発明の一実施形態に係る構内交換機システムの全体構成図である。
【図２】構内交換機のハードウェア・ソフトウェア構成図である。
【図３】セキュリティ解析ＰＣのハードウェア・ソフトウェア構成図である。
【図４】緊急電話番号テーブルの一例を示す図である。
【図５】構内交換機システムの処理を示すシーケンス図である。
【図６】監視モニタ画面を説明する図である。
【発明を実施するための形態】
【００１２】
以下、本発明に係る一実施形態を、図１ないし図６を用いて説明する。
【００１３】
先ず、図１を用いて構内交換機システムの構成について説明する。
構内交換機システム１０は、図１に示されるように、構内交換機１００を中心にして、各種端末が有線又は無線で接続されたものである。
【００１４】
構内交換機１００には、内線電話機２１１、基地局２１２、センサ２２１、カメラ２２２、スピーカ２２３、マイク２２４が直接接続されている。
【００１５】
内線電話機２１１は、構内に設置された内線番号を付与された電話機である。基地局２１２は、無線でＰＨＳ（Personal Handy Phone）２３１と通信するための装置である。センサ２２１、カメラ２２２は、セキュリティシステム用のセンサと撮影用のカメラである。スピーカ２２３は、緊急時に音声を発生させる装置である。マイク２２４は、周囲の音を集音するための装置である。
【００１６】
構内交換機１００には、ＬＡＮ（Local Area Network）１３により、ＩＰメディアフォン２３０、ＡＰ（Access Point）２３１、監視モニタ装置２３２、基地局２１２、ルータ２１３、外部セキュリティシステム２０が接続されている。ルータ２１３は、ネットワーク上のパケットのルーティング装置である。ＬＡＮ（Local Area Network）１３は、各装置を接続する局所的なネットワークである。ＡＰ２３１は、無線ＬＡＮの規格により他の端末と通信の接続をする機器である。ＩＰメディアフォン２３０は、通常の電話に加えて、動画、画像の表示やユーザからの入出力が行える電話端末である。監視モニタ装置２３２は、監視員が監視のために用いるモニタ装置である。監視モニタ装置２３２は、ハンドセットが備え付けられており、保守員は、マイク２２４を通じて、カメラ設置拠点にいる者との会話が可能である。
【００１７】
外部セキュリティシステム２０は、セキュリティ解析ＰＣ３００、センサ２２１、カメラ２２２を備えている。
【００１８】
セキュリティ解析ＰＣ３００は、セキュリティに関する入力情報を解析して、その結果を出力する情報処理装置である。センサ２２１、カメラ２２２、マイク２２４は、それぞれ外部セキュリティシステム２０用のセンサ、撮影用のカメラ、マイクである。
【００１９】
構内交換機システム１０は、公衆網５を介して他拠点３０や警察４００、消防４０１、警備会社４１０に接続されている。構内交換機システム１０の構内交換機１００と他拠点３０の構内交換機１００は、専用線１２やＬＡＮ１３により直接に接続されていてもよい。
【００２０】
構内交換機１００は、図２に示されるように、スイッチ１１０、内線トランク１２０、局線トランク１２３、ネットワークＩ／Ｆ（InterFace）１４０、ＣＰＵ（Central Processing Unit）１５０、メインメモリ１６０、フラッシュメモリ１７０から構成されている。そして、スイッチ１１０、ネットワークＩ／Ｆ１４０、ＣＰＵ１５０、メインメモリ１６０、フラッシュメモリ１７０は、バスにより相互に接続され、スイッチには、内線トランク１２０、端末制御回路１２１、入出力回路１２２、局線トランク１２３、専用線トランク１２４が接続されている。
【００２１】
ＣＰＵ１５０は、構内交換機１００全体の動作制御を司るプロセッサであり、メインメモリ１６０にロードされた制御プログラムとテーブルなどのデータを参照し、制御プログラム（図示せず）を実行することにより、構内交換機１００全体としての各種処理を実行する。また、後述するアプリケーションプログラムを実行することにより、本実施形態の回線制御の機能を提供する。さらに、ＣＰＵ１５０は、スイッチ１１０に指示することにより通話路の接続、切断などを行う。
【００２２】
メインメモリ１６０は、例えばＤＲＡＭ（Dynamic Random Access Memory）などの半導体素子から構成され、交換動作制御プログラムなどの各種制御プログラムや構内交換機１００の内線番号情報又は制御情報などの各種制御情報を記憶するために利用されるほか、交換動作を実行するときに一時的に利用される情報を記憶するＣＰＵ１５０のワークメモリとしても利用される。図には示さなかったが、制御プログラムやテーブルは、フラッシュメモリ１７０やＨＤＤ（Hard Disk Drive）（図示せず）などの補助記憶装置に記憶され、実行時にメインメモリ１６０にロードされる。
【００２３】
ネットワークＩ／Ｆ１４０は、ＬＡＮ１３とのインタフェース回路であり、これを介して、ルータ２１３や各種ネットワーク機器が接続される。
【００２４】
スイッチ１１０は、ＣＰＵ１５０の指示に従って、各種トランクにおけるデータの行き先を切り換えて、各種トランクにおけるデータの転送を行うスイッチ（切替装置）である。
【００２５】
また、スイッチ１１０には、内線トランク１２０、端末制御回路１２１、入出力回路１２２、局線トランク１２３、専用線トランク１２４が接続されている。
【００２６】
内線トランク１２０は、構内交換機１００の内線を収容して、接続された内線の応答信号や終話回線の状態を監視するハードウェア回路である。端末制御回路１２１は、基地局２１２を接続する回路である。入出力回路１２２は、センサ２２１やカメラ２２２、スピーカ２２３、マイク２２４などの入出力装置を接続する回路である。局線トランク１２３は、構内交換機１００と接続される公衆網５の局線を収容して、接続された局線の応答信号や終話回線の状態を監視するハードウェア回路である。専用線トランク１２４は、構内交換機１００と接続される専用線を収容して、接続された専用線の応答信号や終話回線の状態を監視するハードウェア回路である。
【００２７】
フラッシュメモリ１７０には、本実施形態の回線制御を実行するためのコンテンツ作成プログラム１７２、発呼先判定プログラム１７４、発呼プログラム１７６がインストールされており、データとして緊急電話番号テーブル５００が格納されている。
【００２８】
コンテンツ作成プログラム１７２は、センサ２２１、カメラ２２２、外部セキュリティシステム２０から送られてきた画像、音声などの情報を編集して、ＩＰメディアフォン２３０に表示する形式のデータを作成するプログラムである。
【００２９】
発呼先判定プログラム１７４は、外部セキュリティシステム２０のセキュリティ解析ＰＣ３００からの指示に従い、緊急電話番号テーブル５００を参照して、発呼先を判定するプログラムである。
【００３０】
発呼プログラム１７６は、発呼先判定プログラム１７４の判定した相手先に、発呼するためのプログラムである。
【００３１】
緊急電話番号テーブル５００は、緊急時に発呼するための電話番号を格納するテーブルである。なお、緊急電話番号テーブル５００の詳細は後述する。
【００３２】
セキュリティ解析ＰＣ３００のハードウェア構成としては、例えば、図３に示されるような一般的なパーソナルコンピュータで実現される。
【００３３】
セキュリティ解析ＰＣ３００は、ＣＰＵ３０２、メインメモリ３０４、ネットワークＩ／Ｆ３０６、表示Ｉ／Ｆ３０８、入出力Ｉ／Ｆ３１０、補助記憶Ｉ／Ｆ３１２が、バスにより結合された形態になっている。
【００３４】
ＣＰＵ３０２は、セキュリティ解析ＰＣ３００の各部を制御し、メインメモリ３０４に必要なプログラムをロードして実行する。メインメモリ３０４は、通常、ＲＡＭなどの揮発メモリで構成され、ＣＰＵ３０２が実行するプログラム、参照するデータが記憶される。ネットワークＩ／Ｆ３０６は、ＬＡＮ１３と接続するためのインタフェースである。表示Ｉ／Ｆ３０８は、ＬＣＤ（Liquid Crystal Display）などの表示装置３２０を接続するためのインタフェースである。入出力Ｉ／Ｆ３１０は、入出力装置を接続するためのインタフェースである。図３の例では、キーボード３３０とポインティングデバイスのマウス３３２が接続されている。
【００３５】
補助記憶Ｉ／Ｆ３１２は、ＨＤＤ３５０やＳＳＤ（Solid State Drive）などの補助記憶装置を接続するためのインタフェースである。
【００３６】
ＨＤＤ３５０は、大容量の記憶容量を有しており、本実施形態を実行するためのプログラムがインストールされている。セキュリティ解析ＰＣ３００には、セキュリティ情報編集プログラム３６０、画像認識プログラム３６２、セキュリティ解析プログラム３６４、解析結果送信プログラム３６６がインストールされている。
【００３７】
セキュリティ情報編集プログラム３６０は、センサ２２１で取得したデータ、カメラ２２２で撮像した静止画、動画を取り込んで、表示するためのデータ、又は、構内交換機１００に送信するためのデータとして編集するプログラムである。画像認識プログラム３６２は、カメラ２２２で撮像した静止画、動画の画像認識を行なって意味づけるプログラムである。セキュリティ解析プログラム３６４は、画像認識プログラム３６２の出力、センサ情報、音声データに従って、システムのセキュリティを解析し、判定するプログラムである。解析結果送信プログラム３６６は、セキュリティ解析プログラム３６４のセキュリティに関する解析結果を、構内交換機に送信するプログラムである。
【００３８】
また、ＨＤＤ３５０は、センサ２２１から取得したセンサデータ３７０、カメラ２２２で撮像した静止画、動画の画像データ３７２、マイク２２４から集音した音声データ３７４を格納している。
【００３９】
次に、図４を用いて構内交換機システムに用いられるデータ構造について説明する。
緊急電話番号テーブル５００は、構内交換機１００が緊急度に応じた発呼先の電話番号を格納するためのテーブルであり、図４に示されるように、ＩＤ５００ａ、緊急度５００ｂ、通報名称５００ｃ、発呼番号５００ｄの各フィールドからなる。
【００４０】
ＩＤ５００ａには、各エントリを識別する識別子を格納する。緊急度５００ｂには、通報の緊急度を格納する。通報名称５００ｃには、システム内で認識して、保守員に表示するための通報名称を格納する。発呼番号５００ｄには、通報先の発呼番号を格納する。例えば、日本の場合の緊急通報用電話番号は、全国共通で警察４００への連絡は、「１１０」であり、消防４０１への連絡は、「１１９」である。
【００４１】
緊急電話番号テーブル５００は、ＩＰメディアフォン２３０や監視モニタ２３２からＧＵＩ（Graphical User Interface）で作成することができるようにしてもよいし、テキストベースの情報を入力して作成できるようにしてもよい。
【００４２】
次に、図５を用いて構内交換機システムの処理について説明する。
先ず、構内交換機１００に直接接続されているセンサ２２１、カメラ２２２、マイク２２４、あるいは、外部セキュリティシステム２０に接続されたセンサ２２１、カメラ２２２、マイク２２４で、それぞれセンサデータ、画像、音を取得し、外部セキュリティシステム２０のセキュリティ解析ＰＣ３００に転送する（Ａ０１）。
【００４３】
セキュリティ解析ＰＣ３００は、画像に対しては、画像認識プログラム３６２を実行して、画像認識を行ない、センサ情報、音情報と共にセキュリティ解析プログラム３６４を実行することにより、セキュリティ解析を行って（Ｓ０１）、その解析結果として、構内交換機１００に対して、通報コマンドと、付加情報（位置情報，時刻，発生イベント，…）などの情報を送信する（Ａ０２）。ここで、発生イベントとは、「侵入者」、「火災」、「地震発生」、…などである。
【００４４】
通報コマンドのパラメータとしては、図４の緊急電話番号テーブル５００の緊急度５００ｂに該当する情報のみ送るようにしてもよいし、ＩＤ５００ａに該当する情報を送信するようにしてもよい。例えば、火災が発生したときには、ＩＤ＝２をパラメータとする通報コマンドを送信して、消防署に発呼するようにする。
【００４５】
一方、センサ２２１、カメラ２２２、マイク２２４から取得されたセンサデータ、画像、音は、監視モニタ装置２３２、スピーカ２２３に送信され（Ａ０３）、画面などに出力される（Ｓ０６）。
【００４６】
構内交換機１００では、セキュリティ解析ＰＣ３００から通報コマンドと、付加情報を受信して、発呼先判定プログラム１７４により、緊急性を判定して（Ｓ０２）、それぞれ緊急性あり（Ａ０４）、保守員判断（Ａ０５）、緊急性なし（Ａ０６）に分岐する。
【００４７】
緊急性あり（Ａ０４）の場合には、図４に示した緊急度５００ｂの「緊急性あり」の発呼番号の番号に発呼する（Ｓ０３）。「緊急性あり」の場合は、例えば、警察４００、消防４０１、警備会社４１０に発呼する。また、システム内の保守員のためにＩＰメディアフォン２３０、ＰＨＳ２３１のようなモバイル端末に発呼するようにしてもよい。
【００４８】
保守員判断（Ａ０５）の場合には、図４に示した緊急度５００ｂの「保守員判断」の発呼番号５００ｄの番号に発呼する（Ｓ０３）。「保守員判断」の場合は、例えば、警察４００、消防４０１、警備会社４１０などの外部組織には連絡せずに、システム内の保守員のためにＩＰメディアフォン２３０、ＰＨＳ２３１のようなモバイル端末にのみ発呼する。この場合も、発呼する場合には、自動音声で、緊急事態が発生したこと（発生イベントの種別）、位置情報、発生した時刻などを音声で通知する。
【００４９】
緊急性あり（Ａ０４）の場合、保守員判断（Ａ０５）の場合で、発呼する場合には、自動音声で、緊急事態が発生したこと（発生イベントの種別）、位置情報、発生した時刻などを音声で通知する。
また、緊急性なし（Ａ０６）の場合には、発呼せずにシステム内で発生したイベントに対するログ（時刻、場所、イベント名称）をとるようにする（Ｓ０５）。
【００５０】
緊急性あり（Ａ０４）の場合、保守員判断（Ａ０５）の場合は、それぞれ緊急度５００ｂの「緊急性あり」、「保守員判断」の全てに発呼するようにしてもよいし、優先度の高いものから順に発呼して、発呼先につながらなかったときに、その次の優先度を有する発呼先に発呼するようにしてもよい。
また、通報コマンドのパラメータを、ＩＤとして、対応する緊急番号テーブル５００のＩＤ５００ａに対応する発呼番号５００ｄの電話番号に発呼するようにしてもよい。
【００５１】
次に、図６を用いて構内交換機システムのユーザインタフェースについて説明する。
図６に示した監視モニタ画面８００は、ＩＰメディアフォン２３０に表示される画面として説明する。ただし、監視モニタ装置２３２が同様の監視モニタ画面８００を表示して、操作できるようにしてもよい。
【００５２】
監視モニタ画面８００は、図６に示されるように、地点別モニタ欄８１０、メインメニュー８２０、センサ情報表示欄８３０、次ページボタン８４０、音声出力ボタン８５０、表示切替ボタン８６０の表示アイテムからなる。
【００５３】
地点別モニタ欄８１０は、各地点で撮像した画像（静止画、動画）や地図を表示する欄である。特に、セキュリティ解析ＰＣ３００による画像解析結果により、異常検出箇所をハイライトし、保守員の判断をサポートするようにしてもよい。例えば、Ａ地点、Ｂ地点の画像は、侵入者が異常検出箇所としてハイライトして表示されている。
【００５４】
また、ＩＰメディアフォン２３０は、タッチパネルを装備しており、画像ダブルクリックで、画像最大化、ドラッグ、ピンチイン、ピンチアウト等の操作が可能であり、操作性がよいものとなっている。
【００５５】
メインメニュー８２０は、様々なコマンドを選択するためのメニューである。例えば、「電話機能」を選択すると、ＩＰメディアフォン２３０の電話機能に戻り、外部に連絡できるようになる。端末情報詳細一覧では、構内交換機システムの端末情報の一覧が表示される。また、定点カメラ情報では、特定端末のカメラ映像を見ることができる。
【００５６】
センサ情報表示欄８３０は、接続されたセンサの２２１のセンス情報を表示する欄である。
【００５７】
次ページボタン８４０は、複数画像ある場合は、次ページに遷移するためのボタンである。
【００５８】
音声出力ボタン８５０は、音解析結果で異常音を検出した場合に、タップすることにより、異常音を聴取できるようにするためのボタンである。
【００５９】
表示切替ボタン８６０は、タップすることにより、全画面表示などの表示切替えを行うためのボタンである。
【００６０】
以上のように、本実施形態の構内交換機システムによれば、センサ２２１やカメラ２２２からの情報により、セキュリティ解析を行なって、その緊急性を判断して、その緊急性に応じて、適切な発呼先に発呼して、連絡を行うようにしている。そのため、真にセキュリティ上問題のある事象のみ、連絡を行なって、施設におけるセキュリティを高く保ったまま、保守員の労力を軽減して、警察などへの誤通報も防ぐことができる。
【符号の説明】
【００６１】
５…公衆網、１２…専用線、１３…ＬＡＮ、
１００…構内交換機、
２１１…内線電話機、２１２…基地局、２１３…ルータ、２２１…センサ、２２２…カメラ、２２３…スピーカ、２２４…マイク、
２３０…ＩＰメディアフォン、２３１…ＡＰ（Access Point）、２３２…監視モニタ装置、２０…外部セキュリティシステム、３０…他拠点、
３００…セキュリティ解析ＰＣ、
４００…警察、４０１…消防、４１０…警備会社
【図１】
2019068195.tif 000003
【図２】
2019068195.tif 000004
【図３】
2019068195.tif 000005
【図４】
2019068195.tif 000006
【図５】
2019068195.tif 000007
【図６】
2019068195.tif 000008